(57)【特許請求の範囲】
【請求項１】
縦列に連結されて循環移動する踏段の両側に立設された内側板の頂部に設けられて上記踏段と等速で移動し、上記内側板の終端部で下方に反転して無端状に循環する上部手摺と、上記内側板を凹没させて形成された凹所内の上記上部手摺の直下に設けられて上記上部手摺と等速で移動し、上記終端部で下方に反転して上記上部手摺の循環路の内側で無端状に循環する下部手摺とからなる乗客コンベアの手摺。
【発明の詳細な説明】
【０００１】
【発明の属する技術の分野】
この発明は、上下二段にした乗客コンベアの手摺に係るものである。
【０００２】
【従来の技術】
図５及び図６は従来の乗客コンベアの手摺を示す。図は、上梁１ａと下梁との間に跨設されたトラス２によって支持されて傾斜路を形成するエスカレータで、上記傾斜路の頂部には駆動機３が収納され、踏段スプロケット４を駆動する。踏段スプロケット４には無端状の踏段チエン５が巻き掛けられており、更にこの踏段チエン５には踏段６が縦列に係止されて移動する。踏段６の両側には傾斜路に沿って所定の高さで内側板７が立設され、その頂部には手摺８が設けられている。この手摺８は上記傾斜路の上下終端部で下方に反転して無端状に構成されていて、手摺駆動ユニットＨＤによって駆動される。この手摺駆動ユニットＨＤは、踏段スプロケット４と同軸で取り付けられた手摺第１スプロケット１１と手摺第１チエン１２によって駆動される。その詳細を図６に示す。
即ち、手摺駆動ユニットＨＤは、手摺第１チエン１２と係合する手摺第２スプロケット１３と、この手摺第２スプロケット１３と同軸に取り付けられた手摺第３スプロケット１４と、この手摺第３スプロケット１４に巻き掛けられた手摺第２チエン１５と、この手摺第２チエン１５が巻き掛けられた手摺第４スプロケット１６と、この手摺第４スプロケット１６と同軸に取り付けられた手摺駆動ローラ１７と、この手摺駆動ローラ１７と共に手摺８を挟圧する手摺加圧ローラ１８と、手摺第２チエン１５に一定のテンションを常時与えるテンションスプロケット１９とからなる。このように、手摺８は手摺駆動ローラ１７と加圧ローラ１８に挟圧されて摩擦駆動され、踏段６と等速で循環するようになっている。
【０００３】
【発明が解決しようとする課題】
乗客コンベアであるエスカレータの手摺８は、従来上記のとおり構成されており、その取付位置は通常の大人が踏段６に立ったときに把持するのに適切な高さとして設計されている。
しかし、乗客コンベアの利用者は子供から老人まで広範囲に亘り、その身長には大きな差がある。手摺８の位置は通常の大人には適切であっても、子供や老人には高すぎる場合がある。このため、子供が手摺８を把持しようとすると、内側板７に接近しなければならず、衣服が内側板７に接触する等の不具合があった。この発明は、かかる不具合を防止するためになされたものであり、広範囲に亘る利用者に対して把持し易い乗客コンベアの手摺を得ることを目的とする。
【０００４】
【課題を解決するための手段】
この出願に係る乗客コンベアの手摺は、縦列に連結されて循環移動する踏段の両側に立設された内側板の頂部に上記踏段と等速で循環移動する上部手摺を設け、この上部手摺の直下で等速で循環移動する下部手摺を、内側板を凹没させた凹所に設けたものである。
【０００５】
【発明の実施の形態】
図１から図４は、この発明をエスカレータに実施した場合の一実施の形態を示す。図において、１ａは上梁、１ｂは下梁、２は上梁１ａと下梁１ｂの間に跨設されたトラス、３は駆動機、４はこの駆動機３によって回転駆動される踏段スプロケット、５はこの踏段スプロケット４に巻き掛けられた踏段チエン、６は傾斜路に沿って縦列に配列されて踏段チエン５に係止され傾斜方向に移動する踏段である。７は踏段６の両側には傾斜路に沿って所定の高さで立設された内側板、８ｕは内側板７の頂部に取り付けられた上部手摺で、上記踏段と等速で移動し、上記傾斜路の上下終端部で下方に反転して無端状に循環する。８ｄは上部手摺８ｕの直下に設けられた下部手摺で、内側板７を凹没させ、その凹所に設置されたもので、上記上部手摺８ｕと等速で移動し、上下終端部において上記上部手摺８ｕの上記反転位置よりも手前で下方に反転して上部手摺８ｕの循環路の内側で無端状に循環するものである。
１１ｕは踏段スプロケット４と同軸で取り付けられた上部手摺第１スプロケット、１１ｄは同じく下部第１スプロケットである。１２ｕは上部手摺第１スプロケット１１ｕに巻き掛けられた上部手摺第１チエン、１２ｄは同じく下部手摺第１チエンである。ＨＤｕは、上部手摺第１チエン１２ｕに駆動されて上部手摺８ｕを駆動する上部手摺駆動ユニット、ＨＤｄは、下部手摺第１チエン１２ｄに駆動されて下部手摺８ｄを駆動する下部手摺駆動ユニットで、それぞれ詳細を図３及び図４に示す。
【０００６】
まず、上部手摺駆動ユニットＨＤｕについて説明する。１３ｕは上部手摺第１チエン１２ｕが巻き掛けられた上部手摺第２スプロケット、１４ｕはこの上部手摺第２スプロケット１３ｕと同軸に取り付けられた上部手摺第３スプロケット、１５ｕは上部手摺第３スプロケット１４ｕに巻き掛けられた上部手摺第２チエン、１６ｕは上部手摺第２チエン１５ｕが巻き掛けられて駆動される上部手摺第４スプロケット、１７ｕは上部手摺第４スプロケット１６ｕと同軸の上部手摺駆動ローラ、１８ｕは上部手摺加圧ローラで、上部手摺駆動ローラ１７ｕと共に上部手摺８ｕを挟圧する。１９ｕは上部テンションスプロケットで、上部手摺第２チエン１５ｕに一定のテンションを常時与えている。このように、上部手摺８ｕは上部手摺駆動ローラ１７ｕと上部手摺加圧ローラ１８ｕに挟圧されて摩擦駆動され、踏段６と等速で循環するようになっている。
【０００７】
下部手摺駆動ユニットＨＤｄも上部手摺駆動ユニットＨＤｕと同様に構成されている。即ち、１３ｄは下部手摺第１チエン１２ｄが巻き掛けられた下部手摺第２スプロケット、１４ｄはこの下部手摺第２スプロケット１３ｄと同軸に取り付けられた下部手摺第３スプロケット、１５ｄは下部手摺第３スプロケット１４ｄに巻き掛けられた下部手摺第２チエン、１６ｄは下部手摺第２チエン１５ｄが巻き掛けられて駆動される下部手摺第４スプロケット、１７ｄは下部手摺第４スプロケット１６ｄと同軸の下部手摺駆動ローラ、１８ｄは下部手摺加圧ローラで、下部手摺駆動ローラ１７ｄと共に下部手摺８ｄを挟圧する。１９ｄは下部テンションスプロケットで、下部手摺第２チエン１５ｄに一定のテンションを常時与えている。このように、下部手摺８ｄは下部手摺駆動ローラ１７ｄと下部手摺加圧ローラ１８ｄに挟圧されて摩擦駆動され、踏段６と等速で循環するようになっている。
【０００８】
次に、上記構成のエスカレータの手摺について、その動作を説明する。
まず、上部手摺８ｕの駆動について述べる。踏段スプロケット４が図３において時計方向に回転すると、踏段６は上方向へ移動する。踏段スプロケット４と同軸で取り付けられた上部手摺第１スプロケット１１ｕも時計方向に回転し、上部手摺第１チエン１２ｕを介して上部手摺第２スプロケット１３ｕ及び上部手摺第３スプロケット１４ｕも同様に時計方向に回転する。更に上部手摺第２チエン１５ｕを介して上部手摺第４スプロケット１６ｕ及び上部手摺駆動ローラ１７ｕも時計方向に回転して上部手摺８ｕを下方へ送る。従って、内側板７に係合する部分では上部手摺８ｕは上方向へ移動することになる。しかも、上部手摺第１スプロケット１１ｕ、上部手摺第２スプロケット１３ｕ、上部手摺第３スプロケット１４ｕ及び上部手摺第４スプロケット１６ｕは、上部手摺８ｕが踏段６と等速で移動するように構成されている。
また、踏段スプロケット４が反時計方向に回転すると、踏段６は下方向へ移動し、上部手摺８ｕも内側板７に係合する部分では下方向へ移動する。
【０００９】
下部手摺８ｄの駆動も上部手摺８ｕと同様である。即ち、踏段スプロケット４が図３において時計方向に回転すると、踏段６は上方向へ移動する。踏段スプロケット４と同軸で取り付けられた下部手摺第１スプロケット１１ｄも時計方向に回転し、下部手摺第１チエン１２ｄを介して下部手摺第２スプロケット１３ｄ及び下部手摺第３スプロケット１４ｄも同様に時計方向に回転する。更に下部手摺第２チエン１５ｄを介して下部手摺第４スプロケット１６ｄ及び下部手摺駆動ローラ１７ｄも時計方向に回転して下部手摺８ｄを下方へ送る。従って、内側板７に係合する部分では下部手摺８ｄは上方向へ移動することになる。しかも、下部手摺第１スプロケット１１ｄ、下部手摺第２スプロケット１３ｄ、下部手摺第３スプロケット１４ｄ及び下部手摺第４スプロケット１６ｄは、下部手摺８ｄが踏段６と等速で移動するように構成されている。
また、踏段スプロケット４が反時計方向に回転すると、踏段６は下方向へ移動し、下部手摺８ｄも内側板７に係合する部分では下方向へ移動する。
【００１０】
上記発明の実施の形態によれば、手摺を上部手摺８ｕと下部手摺８ｄの二段構造としたので、子供や老人等利用者に身長差があっても、手摺を容易に把持でき、延いては、踏段６での体勢が良くなり、急停止した場合でも安全である。
また、下部手摺８ｄは内側板７を凹没させ、その凹所に設置するものとしたので、下部手摺８ｄを低位置としたことによる弊害、例えば、手摺に腰を掛ける等の不具合を避けることができる。
更に、上部手摺８ｕと下部手摺８ｄは、それぞれ上部手摺駆動ユニットＨＤｕと下部手摺駆動ユニットＨＤｄによって個別に駆動されるものの、上部手摺駆動ユニットＨＤｕと下部手摺駆動ユニットＨＤｄは同一の駆動機３によって駆動されるので、上部手摺８ｕと下部手摺８ｄとの移動速度、更には踏段６との移動速度の同期が構造的に図られることになる。
【００１１】
下部手摺８ｄは、必ずしも踏段６の両側に設置することに限られるものではなく、片側にのみ設置しもよいものである。
また、上記発明の実施の形態では、エスカレータに実施した例を示したが、移動歩道に実施しても同様に機能するものである。
更に、下部手摺８ｄを上部手摺８ｕと異なる着色とすれば、容易に識別することができその存在を顕在化できる。
【００１２】
【発明の効果】
上記のとおり、この発明に係る乗客コンベアの手摺は、縦列に連結されて循環移動する踏段と等速で循環移動する上部手摺を、踏段の両側に立設された内側板の頂部に設け、上部手摺の直下で等速で循環移動する下部手摺を、内側板を凹没させて形成された凹所に設けて上部手摺の循環路の内側で循環するようにしたものである。
このため、大人から子供まで広範囲に亘る利用者に対して把持し易い手摺とすることができると共に、下部手摺は内側板を凹没させた凹所に設置されたので、下部手摺に腰を掛けるのを避けることができる、という効果を奏する。
【図面の簡単な説明】
【図１】  この発明の実施の形態を示す縦断面図。
【図２】  この発明の実施の形態の要部を示す横断面図。
【図３】  この発明の実施の形態の要部を示す縦断面図。
【図４】  この発明の実施の形態の要部を示す図。
【図５】  従来の乗客コンベアの要部を示す縦断面図。
【図６】  従来の乗客コンベアの要部を示す図。
【符号の説明】
１ａ  上梁、１ｂ  下梁、２  トラス、３  駆動機、４  踏段スプロケット、５踏段チエン、６  踏段、７  内側板、８ｕ  上部手摺、８ｄ  下部手摺、１１ｄ  下部手摺第１スプロケット、１１ｕ  上部手摺第１スプロケット、１２ｄ  下部手摺第１チエン、１２ｕ  上部手摺第１チエン、ＨＤｄ  下部手摺駆動ユニット、ＨＤｕ  上部手摺駆動ユニット、１３ｄ  下部手摺第２スプロケット、１３ｕ  上部手摺第２スプロケット、１４ｄ  下部手摺第３スプロケット、１４ｕ上部手摺第３スプロケット、１５ｄ  下部手摺第２チエン、１５ｕ  上部手摺第２チエン、１６ｄ  下部手摺第４スプロケット、１６ｕ  上部手摺第４スプロケット、１７ｄ  下部手摺駆動ローラ、１７ｕ  上部手摺駆動ローラ、１８ｄ  下部手摺加圧ローラ、１８ｕ  上部手摺加圧ローラ、１９ｄ  下部テンションスプロケット、１９ｕ  上部テンションスプロケット。
【図１】
0003638083.tif 000002
【図２】
0003638083.tif 000003
【図３】
0003638083.tif 000004
【図４】
0003638083.tif 000005
【図５】
0003638083.tif 000006
【図６】
0003638083.tif 000007